(57)【要約】【課題】遊技機等のレイアウト変更の際に、遊技場内における腰掛け部の位置変更を容易に可能な遊技場用椅子の提供を目的とする。【解決手段】遊技場用椅子１は、腰掛け部２と、腰掛け部２を支持する支持部３と、背もたれ部４により、構成されている。腰掛け部２は、接続部１３を有している。接続部１３は、受け部材２４を有している。受け部材２４は、底面に複数のネジ孔１８を有している。ネジ孔１８は、通常位置として機能する固定位置Ｒ２，Ｌ２、左変更位置、右変更位置に区分されている。支持部３はフランジ部６を有し、フランジ部６を固定する位置を、固定位置Ｒ２，Ｌ２から左変更位置や右変更位置に変更することで、床３１に固定された支持部３に対して、腰掛け部２を相対的に移動させることができる。【選択図】図５
2013034772.tif 000002
【特許請求の範囲】
【請求項１】
多数の遊技機が配置された遊技場で使用され、各前記遊技機の前に設置されて遊技者が遊技時に腰掛ける遊技場用椅子において、
遊技者が腰掛ける腰掛け部と、遊技場の床に固定され前記腰掛け部を支持する支持部とを有し、
当該腰掛け部は、前記支持部との相対的な位置を変更可能であり、所望の位置で固定可能であることを特徴とする遊技場用椅子。
【請求項２】
腰掛け部は、支持部が接続される接続部を有し、
接続部には、支持部を固定する固定位置が２以上設けられていることを特徴とする請求項１に記載の遊技場用椅子。
【請求項３】
ガイド部材を有し、前記腰掛け部は前記ガイド部材に沿って位置を変更可能であることを特徴とする請求項１又は２に記載の遊技場用椅子。
【発明の詳細な説明】
【技術分野】
【０００１】
本発明は、遊技場用椅子に関し、さらに詳細には、遊技場内における腰掛け部の位置変更を容易に行うことができる遊技場用椅子に関する。
【背景技術】
【０００２】
パチンコ機やスロット機等の遊技機が設置された遊技場では、各遊技機毎に１脚の椅子が設けられている。一般的に、遊技場における椅子は、腰掛け部を支持する脚部（支持部）が床に固定されている。例えば、特許文献１に、この技術が開示されている。
【０００３】
ところで近年、遊技機のみならず、玉やメダル等の遊技媒体の貸し出し機等の機器の開発が盛んである。そのような状況の中、特に注目を集めている技術として、各台計数システムがある。この各台計数システムは、遊技島における各遊技機の出玉を計数するための共通の計数機を不要とするもので、各台において大当たりなどにより獲得した出玉を計数可能としたシステムである。
【０００４】
そして、このようなシステムは、既存の遊技場に導入される場合が多い。また、既存の遊技場では、遊技媒体の貸し出し機等の機器の更新が行われる場合もあり、例えば、更新前後で機器のサイズが相違することがある。そのため、既存の遊技機等のレイアウト変更を要する場合がある。換言すれば、前記した機器の導入や更新により、遊技機及び椅子の配置の変更や微調整が必要となる。
【０００５】
しかしながら、遊技機の椅子に関しては、前記したように、一般的には脚部が床に固定されているため、容易に配置の変更ができるわけではない。特許文献２には、固定位置を容易に変更可能な可動式椅子の取付構造が開示されている。特許文献２に記載の可動式椅子の取付構造では、椅子の脚部の根元に設けられたフランジ部の端部を、２枚の板状部材を介して床面に固定している。２枚の板状部材は、遊技機に対して、相対移動が可能なように調整機構を備えている。つまり、遊技機等のレイアウト変更があった場合にでも、脚部の固定位置を容易に変更できる。
【先行技術文献】
【特許文献】
【０００６】
【特許文献１】特開平６−２４５８４７号公報
【特許文献２】特開２００６−３１４６７２号公報
【発明の概要】
【発明が解決しようとする課題】
【０００７】
ところが、特許文献２に記載された可動式椅子の取付構造は、椅子の脚部の根元に設けられたフランジ部の端部と２枚の板状部材が、さらに蓋板で覆い隠されており、複雑な構成を有している。そのため、椅子の固定位置を変更する際には、蓋板を取り外す必要があり、手間が掛かる。つまり、特許文献２に記載された可動式椅子の取付構造では、椅子の固定位置の変更が面倒である。
【０００８】
上記した現状に鑑み、本発明は、遊技機等のレイアウト変更の際に、遊技場内における腰掛け部の位置変更を容易に可能な遊技場用椅子の提供を目的とする。
【課題を解決するための手段】
【０００９】
上記課題を解決するための請求項１に記載の発明は、多数の遊技機が配置された遊技場で使用され、各前記遊技機の前に設置されて遊技者が遊技時に腰掛ける遊技場用椅子において、遊技者が腰掛ける腰掛け部と、遊技場の床に固定され前記腰掛け部を支持する支持部とを有し、当該腰掛け部は、前記支持部との相対的な位置を変更可能であり、所望の位置で固定可能であることを特徴とする遊技場用椅子である。
【００１０】
本発明で採用する「遊技場用椅子」では、腰掛け部は、支持部との相対的な位置を変更可能であり、所望の位置で固定可能である。つまり、遊技場の床に固定された支持部を動かすことなく、腰掛け部の位置を調整可能である。そのため遊技場内において、例えば遊技機等のレイアウト変更の際に、遊技機の移動に合わせて、腰掛け部の位置も容易に変更することができる。
【００１１】
請求項２に記載の発明は、腰掛け部は、支持部が接続される接続部を有し、接続部には、支持部を固定する固定位置が２以上設けられていることを特徴とする請求項１に記載の遊技場用椅子である。
【００１２】
例えば、遊技機と遊技機の間に機器等が追加される場合、機器の長さを測定し、その分だけ各遊技場用椅子の腰掛け部を移動させる必要があり、面倒である。
本発明で採用する「遊技場用椅子」では、固定位置として、基準となる通常位置に加え、変更位置等を予め設けておくことができる。つまり、遊技機等のレイアウト変更の際に、支持部の接続箇所である固定位置を、通常位置から変更位置にするだけでよく、腰掛け部の位置変更がより容易となる。
【００１３】
請求項３に記載の発明は、ガイド部材を有し、前記腰掛け部は前記ガイド部材に沿って位置を変更可能であることを特徴とする請求項１又は２に記載の遊技場用椅子である。
【００１４】
「ガイド部材」とは、いわゆる規制部材である。つまり、ガイド部材に沿って腰掛け部の位置を移動させることで、確実に所望する姿勢へと変更できる。そのため、腰掛け部の位置変更がさらに容易となる。
【発明の効果】
【００１５】
本発明の遊技場用椅子によれば、遊技機等のレイアウト変更の際に、遊技場内における腰掛け部の位置変更を容易に可能である。
【図面の簡単な説明】
【００１６】
【図１】本発明の第１実施形態に係る遊技場用椅子を示す斜視図である。
【図２】図１の遊技場用椅子を示すＡ−Ａ断面図である。
【図３】図２の遊技場用椅子における腰掛け部をＡ方向から示す斜視図である。
【図４】図３の受け部材と支持部とを分解した斜視図である。
【図５】図１の遊技場用椅子の代表的な姿勢を示す背面図であり、（ａ）は左変更位置の最も外側にある状態、（ｂ）は通常位置にある状態、（ｃ）は右変更位置の最も外側にある状態である。
【図６】遊技場内における図１の遊技場用椅子の設置状況を示す正面図であり、（ａ）は通常位置にある状態、（ｂ）は右変更位置にある状態を示す。
【図７】本発明の第２実施形態に係る遊技場用椅子を示す底面側から見た斜視図である。
【図８】図７の遊技場用椅子を示す分解斜視図である。
【図９】図７の遊技場用椅子において、３つの固定位置にそれぞれ支持部を固定した際の姿勢を示す背面図であり、（ａ）は左変更位置にある状態、（ｂ）は通常位置にある状態、（ｃ）は右変更位置にある状態である。
【図１０】本発明の第３実施形態に係る遊技場用椅子を示す斜視図である。
【図１１】図１０の遊技場用椅子を示すＡ−Ａ断面図である。
【図１２】図１１の遊技場用椅子における腰掛け部をＡ方向から示す矢視図である。
【図１３】図１０の遊技場用椅子において、３つの固定位置にそれぞれ支持部を固定した際の姿勢を示す背面図であり、（ａ）は左変更位置にある状態、（ｂ）は通常位置にある状態、（ｃ）は右変更位置にある状態である。
【発明を実施するための形態】
【００１７】
以下に本発明を実施するための好ましい実施形態について、図面を参照しながら詳細に説明する。以下、特に断りがない限り、上下左右、前後方向の表現に関しては図面を基準とする。
【００１８】
本発明の第１実施形態に係る遊技場用椅子１は、図６（ａ），（ｂ）に示すように、パチンコ台やスロット台等の遊技機３０に対向して配置されるもので、１台の遊技機３０に１脚づつ配されている。すなわち、遊技場用椅子１は、所望の遊技機３０を遊技するために腰掛けるものである。
【００１９】
第１実施形態に係る遊技場用椅子１は、図１に示すように、腰掛け部２と、腰掛け部２を支持する支持部３と、背もたれ部４により構成されている。
【００２０】
支持部３は、図１，２に示すように、腰掛け部２を支持する支持部材である。支持部３は、一端３ａが腰掛け部２に接続されている。詳述すると、上端３ａ付近にはフランジ部６が設けられ、フランジ部６は貫通孔７，８を有している。貫通孔７，８にはネジ１６，１７が挿通され、後述する腰掛け部２の接続部１３に係合されている。つまり、支持部３は、フランジ部６を介して腰掛け部２に接続されている。一方、支持部３の下端３ｂは、遊技場３２の床３１に固定されている。
【００２１】
腰掛け部２は、図２に示すように、遊技者が着席した際に当該遊技者の尻部（図示しない）が当接するカバー部材１０と、当該カバー部材１０より腰掛け部２の内側に位置するクッション部材１１と、当該クッション部材１１よりさらに内側に備えられたベース部材１２と、ベース部材１２の内側に配された接続部１３とを有している。
【００２２】
ベース部材１２は、金属又は合成樹脂で構成されており、図２に示すように、天面板２０と当該天面板２０の４つの辺に対してそれぞれ垂直に形成された４つの側面板２１を有しており、天面板２０と対向する側（下側）が開放された筺体である。
【００２３】
ベース部材１２には、天面板２０の中心にリング状の溝が形成されたバネ座２２が設けられており、当該バネ座２２によりコイル状の上下付勢手段１５の上端が保持される。バネ座２２には、上下付勢手段１５が容易に外れないように、係合する図示しない係合部が設けられている。なお、上下付勢手段１５は、公知の圧縮バネが採用されており、腰掛け部２の上方からの荷重によって伸縮するものである。
【００２４】
接続部１３は、金属等の剛性を有する素材で構成された板部材である。接続部１３には、天面にリング状の溝が形成されたバネ座２３が設けられており、当該バネ座２３によりコイル状の上下付勢手段１５の下端が保持される。つまり、ベース部材１２と接続部１３との間に上下付勢手段１５が配されている。
【００２５】
接続部１３は、図２，３に示すように、底面に長尺の受け部材２４を有している。なお、図３においては、接続部材１３の上に設けられるカバー部材１０と、クッション部材１１と、ベース部材１２の図示を省略している。
受け部材２４は、図２〜４に示すように、金属等の剛性を有する素材で構成された長尺状の板部材であり、遊技機３０と平行となるように配置されている。
受け部材２４は、底面に複数のネジ孔１８を有している。ネジ孔１８は、同一線上に等間隔で１６個設けられている。１６個のネジ孔１８の内、中央に設けられた２つは、固定位置Ｌ０，Ｒ０として区分されている。そして、固定位置Ｌ０，Ｒ０から外側に向かって並んでいるネジ孔１８は、それぞれ固定位置Ｌ１〜Ｌ７，固定位置Ｒ１〜Ｒ７として区分されている。
【００２６】
固定位置Ｌ２，Ｒ２は、図３に示すように、支持部３のフランジ部６を受け部材２４の略中央に配するためのものである。詳述すると、固定位置Ｌ２，Ｒ２には、それぞれフランジ部６の貫通孔７，８に挿通されたネジ１６，１７が係合される。つまり、固定位置Ｌ２，Ｒ２は、フランジ部６を固定するための通常位置として用いられるものであり、腰掛け部２の基準となる位置を成すものである。なお、固定位置Ｌ２，Ｒ２の間隔は、図３，４に示すように、等間隔に配されたネジ孔１８の６つ分の長さであり、支持部３のフランジ部６に設けられた貫通孔７，８の間隔と同一である。
なお、固定位置Ｌ２，Ｒ２は、遊技場用椅子１を正面側から見た際の表現であり、背面側から見た際には、固定位置Ｒ２，Ｌ２と表現する。
【００２７】
一方、固定位置Ｌ３〜Ｌ７，固定位置Ｒ３〜Ｒ７は、図４に示すように、それぞれ支持部３のフランジ部６を接続部１３の左寄り、右寄りに配するためのものである。詳述すると、固定位置Ｌ３〜Ｌ７は、固定位置Ｌ２より左側に遠ざかる方向に１つずつ設けられている。固定位置Ｌ３は固定位置Ｌ２に最も近く、固定位置Ｌ７は固定位置Ｌ２に最も遠い。つまり、フランジ部６の貫通孔７に挿通されたネジ１６を、固定位置Ｌ３〜Ｌ７のいずれかに係合させることで、フランジ部６を受け部材２４の左寄りに配することができる。この時、フランジ部６の貫通孔８に挿通されたネジ１７は、固定位置Ｌ３〜Ｌ７から各々ネジ孔１８が５つ離れた固定位置Ｒ１〜Ｌ２に固定される。すなわち、固定位置Ｌ３〜Ｌ７は、左変更位置として用いられるものである。
【００２８】
固定位置Ｒ３〜Ｒ７についても、固定位置Ｌ３〜Ｌ７と同様であり、固定位置Ｒ３〜Ｒ７は、固定位置Ｒ２より右側に遠ざかる方向に1つずつ設けられている。固定位置Ｒ３は固定位置Ｒ２に最も近く、固定位置Ｒ７は固定位置Ｒ２に最も遠い。つまり、フランジ部６の貫通孔８に挿通されたネジ１７を、固定位置Ｒ３〜Ｒ７のいずれかに係合させることで、フランジ部６を接続部１３の右寄りに配することができる。この時、フランジ部６の貫通孔７に挿通されたネジ１６は、固定位置Ｒ３〜Ｒ７から各々ネジ孔１８が５つ離れた固定位置Ｌ１〜Ｒ２に固定される。すなわち、固定位置Ｒ３〜Ｒ７は、右変更位置として用いられるものである。
【００２９】
ここで、固定位置Ｌ７〜Ｒ７のいずれかに支持部３のフランジ部６を固定した際の遊技場用椅子１の姿勢について、図５（ａ）〜（ｃ）を用いて説明する。なお、図５（ａ）〜（ｃ）は、遊技場用椅子１の背面図であり、以下の説明においては、背面から見た方向で表現する。
図５（ａ）は、支持部３のフランジ部６が、左変更位置である固定位置Ｌ３〜Ｌ７において、最も外側に位置している固定位置Ｌ２，Ｌ７に固定された状態である。つまり、遊技場３２の床３１に固定された支持部３は、腰掛け部２の右寄りに位置している。換言すれば、腰掛け部２は、支持部３に対して、大部分が左側に位置している。
図５（ｂ）は、支持部３のフランジ部６が、通常位置として用いられる固定位置Ｒ２，Ｌ２に固定された状態である。つまり、遊技場３２の床３１に固定された支持部３は、腰掛け部２の略中央に位置している。換言すれば、腰掛け部２は、支持部３に対して、左右のバランスが均等に位置している。
図５（ｃ）は、支持部３のフランジ部６が、右変更位置である固定位置Ｒ３〜Ｒ７において、最も外側に位置している固定位置Ｒ２，Ｒ７に固定された状態である。つまり、遊技場３２の床３１に固定された支持部３は、腰掛け部２の左寄りに位置している。換言すれば、腰掛け部２は、支持部３に対して、大部分が右側に位置している。
前述の通り、固定位置Ｌ７〜Ｒ７のいずれかに支持部３のフランジ部６を固定することで、腰掛け部２は、支持部３との相対的な位置を変更可能である。
【００３０】
カバー部材１０は、腰掛け部２の表面を構成するもので、合成皮革あるいはビニール等で構成されている。また、カバー部材１０の内部に配されたクッション部材１１は、遊技者に座り心地の良さを与えるもので、ウレタン等を含んだ弾性材で構成されている。
【００３１】
背もたれ部４は、図１に示すように、腰掛け部２に対して垂直に設けられるもので、金属又は樹脂などで構成された略Ｌ字状型の基材１４で、腰掛け部２に連結されている。
【００３２】
次に上記した構成を有した遊技場用椅子１の使用方法について、図面を用いて説明する。
【００３３】
本発明の第１実施形態に係る遊技場用椅子１は、図６（ａ），（ｂ）に示すように、遊技機３０の真正面に対向する位置に配されて用いられる。
図６（ａ）では、玉貸し機３５の右側に配置された遊技機３０に対して、遊技場用椅子１は、通常位置に設置されている。すなわち、支持部３のフランジ部６は、腰掛け部２の固定位置Ｒ２，Ｌ２に固定されている。その結果、遊技場用椅子１は、遊技機３０の真正面に対向する位置に配されている。
【００３４】
図６（ｂ）では、図６（ａ）の玉貸し機３５に替わって玉貸し機３６が配され、遊技機３０のレイアウト変更が行われている。詳述すると、玉貸し機３６は、玉貸し機３５に比べて幅が広い。そのため、遊技機３０は、図６（ａ）の位置に比べて右側にシフトしている。遊技場用椅子１は、シフトした遊技機３０に対応するため、右変更位置に設置されている。すなわち、支持部３のフランジ部６は、腰掛け部２の固定位置Ｒ２，Ｒ７に固定されている。その結果、遊技場用椅子１の腰掛け部２は、シフトした遊技機３０の真正面に対向する位置に配されている。すなわち、床３１に固定された支持部３の位置はそのままで、腰掛け部２側を移動させている。
【００３５】
以上の通り、本発明の第１実施形態に係る遊技場用椅子１は、遊技機３０等のレイアウト変更の際に、支持部３のフランジ部６を固定する箇所を、通常位置の腰掛け部２の固定位置Ｒ２，Ｌ２から変更させることで、床３１に固定された支持部３を動かすことなく、腰掛け部２の位置を変更できる。すなわち、支持部３のフランジ部６を、固定位置Ｒ１，Ｌ３〜Ｌ２，Ｌ７に固定することで、床３１に固定された支持部３に対して、腰掛け部２を背面側から見て左側にシフトできる。同様に、フランジ部６を固定する箇所を、固定位置Ｌ１，Ｒ３〜Ｒ２，Ｒ７に変更することで、床３１に固定された支持部３に対して、腰掛け部２を背面側から見て右側にシフトできる。
【００３６】
なお、図６（ｂ）では、本発明の第１実施形態に係る遊技場用椅子１の使用方法を説明するため、極端にシフトさせる例を示したが、本発明はこれによって限定されるものではない。前述の通り、支持部３のフランジ部６は、固定位置Ｒ１，Ｌ３〜Ｌ２，Ｌ７及び固定位置Ｌ１，Ｒ３〜Ｒ２，Ｒ７を有している。すなわち、フランジ部６は、左右に５段階の調整幅を有しているため、微調整が可能である。
【００３７】
上記第１実施形態に係る遊技場用椅子１では、腰掛け部２に設けられた固定位置Ｌ７〜Ｒ７がそれぞれ独立して配置された構成を示したが、本発明はこの構成に限られるわけではない。なお、以下の説明において、説明の重複を避けるために、上記した同じ部材には同じ番号を付する。
【００３８】
すなわち、図７に示すように、本発明の第２実施形態に係る遊技場用椅子６０では、腰掛け部２は、ベース部材６１と、ベース部材６１と支持部３を接続する接続部６２を有している。
【００３９】
ベース部材６１は、金属又は合成樹脂で構成された筺体であり、図８のように略中央に貫通孔６５，６６が所定の間隔を空けて設けられている。
なお、図８においては、ベース部材６１の上に設けられるカバー部材１０と、クッション部材１１の図示を省略している。
【００４０】
接続部６２は、公知技術の直動案内部材であり、図７，８に示すように、摺動部材であるスライダ６３と、スライドレール６４とを備えたものである。一般的には、スライドレール６４に対してスライダ６３を相対移動させて用いるものであるが、本発明の第２実施形態に係る遊技場用椅子６０では、スライダ６３に対してスライドレール６４を相対移動させて用いるものである。
【００４１】
スライダ６３は、一面が開放された直線状のケース体であり、当該一面から対向する面に向かって形成された凹部は、側面視で略凸形状を成している。つまり、スライダ６３は係合片７１，７２を有している。
一方、スライドレール６４は、スライダ６３に対して相対移動させる際に、直線方向に規制するためのレール部８１，８２を有している。すなわち、スライドレール６４のレール部８１，８２は、スライダ６３の係合部７１，７２に係合する。換言すると、レール部８１，８２は、スライドレール６４をスライダ６３に係合させたまま直線方向に移動させるガイド部材として機能する。
【００４２】
より具体的には、スライダ６３は、図８に示すように、支持部３に固定され一体化している。スライダ６３は、断面形状が略凹形状で、側面視で左右方向に係合片７１，７２を有している。係合片７１，７２は、略鉤形を成しており、レール部８１，８２が係合される形状である。したがって、係合片７１，７２にレール部８１，８２が係合した状態では、スライダ６３とスライドレール６４を離反方向に引っ張っても、双方の係合状態が開放されることはない。つまり、スライドレール６４は、レール部８１，８２に沿った方向に移動可能である。なお、図８に示すように、スライドレール６４の両端部には、蓋状のキャップ部材９１，９２が嵌められているため、スライドレール６４がスライダ６３から外れることはない。
【００４３】
また、スライダ６３は、図８に示すように、係合片７１の壁面７４にネジ孔７３が設けられている。ネジ孔７３は、係合片７１を貫通している。すなわち、図７に示すように、ネジ孔７３に挿通されたネジ７５は、後述するスライドレール６４のネジ孔８５〜８７のいずれかと係合可能である。
【００４４】
一方、スライドレール６４は、長尺状であり、断面形状が略凸形状で、側面視で左右方向に突出しているレール部８１，８２と、レール部８１，８２よりも上側に位置しているフランジ部８０とを有している。フランジ部８０は、天面にネジ孔８３，８４が設けられ、レール部８１が位置する側の側面にネジ孔８５〜８７が設けられている。ネジ孔８３，８４の間隔は、図８に示すように、前述のベース部材６１の貫通孔６５，６６の間隔と同じである。つまり、ベース部材６１の貫通孔６５，６６に挿通されたネジ６７，６８は、フランジ部８０のネジ孔８３，８４に係合されている。すなわち、ベース部材６１は、スライドレール６４のフランジ部８０に固定されている。そのため、ベース部材６１を有する腰掛け部２は、スライドレール６４と一体的に移動可能である。
【００４５】
ネジ孔８５〜８７は、移動可能な腰掛け部２を固定するための固定位置Ｇ１〜Ｇ３として機能するものである。固定位置Ｇ２は、長尺のフランジ部８０の側面の略中央に設けられており、固定位置Ｇ２の左右両側には、固定位置Ｇ１，Ｇ３が位置している。固定位置Ｇ２は、図７に示すように、スライダ６３のネジ孔７３に挿通されたネジ７５を係合させ、腰掛け部２を支持部３に対して略中央で固定するための通常位置として用いられるものである。換言すれば、固定位置Ｇ２は、腰掛け部２の基準となる位置を成すものである。一方、固定位置Ｇ１，Ｇ３は、各々左変更位置、右変更位置として用いられるものであり、それぞれ固定位置Ｇ２との間隔Ｘは、所望する長さで予め設けておく。
【００４６】
ここで、固定位置Ｇ１〜Ｇ３にそれぞれ支持部３を固定した際の遊技場用椅子６０の姿勢について、図９（ａ）〜（ｃ）を用いて説明する。なお、図９（ａ）〜（ｃ）は、遊技場用椅子１の背面図である。
図９（ａ）は、左変更位置として用いられる固定位置Ｇ１に、スライダ６３のネジ孔７３に挿通されたネジ７５を係合させた状態である。腰掛け部２並びに背もたれ部４は、支持部３に対して、大部分が左側に位置している。
図９（ｂ）は、通常位置として用いられる固定位置Ｇ２に、スライダ６３のネジ孔７３に挿通されたネジ７５を係合させた状態である。腰掛け部２並びに背もたれ部４は、支持部３に対して、左右のバランスが略均等に位置している。
図９（ｃ）は、右変更位置として用いられる固定位置Ｇ３に、スライダ６３のネジ孔７３に挿通されたネジ７５を係合させた状態である。腰掛け部２並びに背もたれ部４は、支持部３に対して、大部分が右側に位置している。
【００４７】
前述の通り、腰掛け部２は、スライドレール６４と一体的に移動可能であり、スライドレール６４は、スライダ６３に係合させたまま直線方向に移動可能である。つまり、本発明の第２実施形態に係る遊技場用椅子６０は、各固定位置Ｇ１〜Ｇ３のいずれかに係合しているネジ７５を緩め、腰掛け部２等を持って所望の方向へスライドさせるだけで、図９（ａ）〜図９（ｃ）に示したそれぞれの姿勢から別の姿勢へと容易に変化させることができる。
【００４８】
上記した実施形態では、スライドレール６４に固定位置Ｇ１〜Ｇ３として機能するネジ孔８５〜８７を設けたが、本発明はこれに限定されるわけではない。例えば、ネジ孔等を設けず、スライドレール６４のフランジ８０の側面の所望する位置に、スライダ６３のネジ孔７３に挿通されたネジ７５を押圧して固定しても構わない。すなわち、支持部３に対する腰掛け部２の位置を、無段階に設定可能である。
【００４９】
次に、本発明の第３実施形態に係る遊技場用椅子１０１について説明する。なお、以下の説明において、説明の重複を避けるために、上記した同じ部材には同じ番号を付する。
【００５０】
第３実施形態に係る遊技場用椅子１０１は、図１０に示すように、腰掛け部２と、腰掛け部２を支持する支持部３と、背もたれ部４により、構成されている。
【００５１】
腰掛け部２は、平面視した形状が略正方形の筺体の角を面取りした形状である。図１１に示すように、腰掛け部２は、カバー部材１０と、当該カバー部材１０より腰掛け部２の内側に位置するクッション部材１１と、当該クッション部材１１よりさらに内側に備えられたベース部材１２と、ベース部材１２の内側に配された接続部１１３とを有している。
【００５２】
接続部１１３は、図１１，１２に示すように、底面に凹形状の受け部材１２４を３つ有している。受け部材１２４は、腰掛け部２と支持部３とを接続し、支持部３を固定するためのものである。換言すれば、受け部材１２４は、支持部３に腰掛け部２を固定するためのものであり、金属等の剛性を有する素材で構成されている。なお、受け部材１２４は、スリーブ状の軸受２５を内蔵している。そのため、腰掛け部２は、支持部３に対して回動自在に保持される。
【００５３】
受け部材１２４は、接続部１１３の略中心に設けられた固定位置Ｆ２と、固定位置Ｆ２の左右両側に位置する固定位置Ｆ１，Ｆ３とに区分されている。固定位置Ｆ２は、図１１に示すように、支持部３を固定するための通常位置として用いられるものであり、腰掛け部２の基準となる位置を成すものである。一方、固定位置Ｆ１，Ｆ３は、各々左変更位置、右変更位置として用いられるものであり、それぞれ固定位置Ｆ２との間隔Ｗは、所望する長さで予め設けておく。なお、固定位置Ｆ１〜Ｆ３は、それぞれ独立して設けられている。
【００５４】
ここで、固定位置Ｆ１〜Ｆ３にそれぞれ支持部３を固定した際の遊技場用椅子１０１の姿勢について、図１３（ａ）〜（ｃ）を用いて説明する。なお、図１３（ａ）〜（ｃ）は、遊技場用椅子１０１の背面図である。
図１３（ａ）は、左変更位置として用いられる固定位置Ｆ１に支持部３が固定された状態である。図１３（ａ）において、遊技場３２の床３１に固定された支持部３は、腰掛け部２の右寄りに位置している。換言すれば、腰掛け部２並びに背もたれ部４は、支持部３に対して、大部分が左側に位置している。
【００５５】
図１３（ｂ）は、通常位置として用いられる固定位置Ｆ２に支持部３が固定された状態である。図１３（ｂ）において、支持部３は、腰掛け部２の略中央に位置している。換言すれば、腰掛け部２並びに背もたれ部４は、支持部３に対して、左右のバランスが略均等に位置している。
図１３（ｃ）は、右変更位置として用いられる固定位置Ｆ３に支持部３が固定された状態である。図１３（ｃ）において、支持部３は、腰掛け部２の左寄りに位置している。換言すれば、腰掛け部２並びに背もたれ部４は、支持部３に対して、大部分が右側に位置している。
前述の通り、固定位置Ｆ１〜Ｆ３にそれぞれ支持部３を固定することで、腰掛け部２は、支持部３との相対的な位置を変更可能である。
【００５６】
なお、支持部３は、図１０，１１に示すように、腰掛け部２を支持する支持部材であり、一方の軸端３ａが腰掛け部２に固定されている。支持部３の他方の軸端３ｂは、遊技場３２の床３１に固定されている。支持部３は、図１１に示すように、断面形状が略筒状の部材である。支持部３の直径は、受け部材２４の直径と略同等である。
【００５７】
以上の通り、本発明の第３実施形態に係る遊技場用椅子１０１は、支持部３を固定する箇所を、通常位置の腰掛け部２の固定位置Ｆ２から、固定位置Ｆ１或いは固定位置Ｆ３に変更することで、床３１に固定された支持部３を動かすことなく、腰掛け部２の位置変更を容易にできる。
【符号の説明】
【００５８】
１，６０，１０１      遊技場用椅子
２      腰掛け部
３      支持部
１３，６２      接続部
３０      遊技機
３１      床
３２      遊技場
８１，８２      レール部（ガイド部材）
Ｆ１〜Ｆ３，Ｇ１〜Ｇ３，Ｌ０〜Ｌ７，Ｒ０〜Ｒ７      固定位置
【図１】
2013034772.tif 000003
【図２】
2013034772.tif 000004
【図３】
2013034772.tif 000005
【図４】
2013034772.tif 000006
【図５】
2013034772.tif 000007
【図６】
2013034772.tif 000008
【図７】
2013034772.tif 000009
【図８】
2013034772.tif 000010
【図９】
2013034772.tif 000011
【図１０】
2013034772.tif 000012
【図１１】
2013034772.tif 000013
【図１２】
2013034772.tif 000014
【図１３】
2013034772.tif 000015